(57)【要約】  開示されるのは、管状ハウジングと、管状ハウジング内に、管状ハウジングの長手方向の軸線に平行に延びる円筒状部材とを含む照明器具である。光源ストリップが長手方向の軸線に平行に延在するように、光源ストリップを含む照明アセンブリが円筒状部材の表面上に可動的に実装され得る。種々の実施形態においては、照明アセンブリは円筒状部材の表面の弧の周りで移動可能である。種々の実施形態においては、光源はＬＥＤベースであっても別の種類の光源であってもよい。幾つかの実施形態では、本明細書中に記載される１つ以上の照明器具は従来の蛍光照明器具の代替電球として用いられ得る。
2017505522.tif 000002
【特許請求の範囲】
【請求項１】
管状ハウジングと、前記管状ハウジング内に、前記管状ハウジングの長手方向の軸線に平行に延びる円筒状部材と、ＬＥＤベース光源ストリップを含む照明アセンブリとを含むＬＥＤベースの照明器具であって、
前記ＬＥＤベース光源ストリップが前記長手方向の軸線に平行に延在し、且つ前記円筒状部材の表面に対する法線に沿って光のローブを発するように、前記照明アセンブリは前記管状ハウジング内に可動的に実装され、前記照明アセンブリは前記円筒状部材の表面の弧の少なくとも一部の周りで移動可能である、ＬＥＤベースの照明器具。
【請求項２】
前記照明アセンブリは第１の照明アセンブリであり、前記ＬＥＤベース光源ストリップは第１のＬＥＤベース光源ストリップであり、前記光のローブは第１の光のローブであり、前記ＬＥＤベースの照明器具は、第２のＬＥＤベース光源ストリップを含む第２の照明アセンブリを更に含み、前記第２のＬＥＤベース光源ストリップが前記第１のＬＥＤベース光源ストリップに平行に延在し、且つ前記円筒状部材の表面に対する別の法線に沿って第２の光のローブを発するように、前記第２の照明アセンブリは前記管状ハウジング内に実装されている、請求項１に記載のＬＥＤベースの照明器具。
【請求項３】
前記第１の照明アセンブリは前記第２の照明アセンブリに対して弧の周りで移動可能である、請求項２に記載のＬＥＤベースの照明器具。
【請求項４】
前記第２の照明アセンブリは前記円筒状部材の表面上の弧に沿う箇所に実装されている、請求項３に記載のＬＥＤベースの照明器具。
【請求項５】
前記第２の照明アセンブリが表面の弧の第２部分の周りで移動可能であるように、前記第２の照明アセンブリは前記円筒状部材の表面上に可動的に実装されている、請求項２に記載のＬＥＤベースの照明器具。
【請求項６】
前記弧の第１部分と第２部分とは少なくとも部分的に重なる、請求項５に記載のＬＥＤベースの照明器具。
【請求項７】
前記弧の第１部分と第２部分とは重ならない、請求項５に記載のＬＥＤベースの照明器具。
【請求項８】
前記第１の照明アセンブリと前記第２の照明アセンブリとの間の中心角は少なくとも９０度である、請求項２に記載のＬＥＤベースの照明器具。
【請求項９】
前記中心角は少なくとも１２０度である、請求項８に記載のＬＥＤベースの照明器具。
【請求項１０】
前記中心角は少なくとも１８０度である、請求項９に記載のＬＥＤベースの照明器具。
【請求項１１】
前記照明アセンブリは、前記円筒状部材の表面上に可動的に実装されたプリント回路基板を更に含み、前記プリント回路基板上に前記ＬＥＤベース光源ストリップが実装されている、請求項１に記載のＬＥＤベースの照明器具。
【請求項１２】
前記照明アセンブリは前記ＬＥＤベース光源の近傍に配置された複数の光学素子を更に含む、請求項１に記載のＬＥＤベースの照明器具。
【請求項１３】
前記複数の光学素子は少なくとも１つのコリメータを含む、請求項１２に記載のＬＥＤベースの照明器具。
【請求項１４】
前記照明アセンブリを前記円筒状部材の表面に沿って弧の周りで移動させる電気モータを更に含む、請求項１に記載のＬＥＤベースの照明器具。
【請求項１５】
コントローラ及びワイヤレスインターフェースを更に含み、前記コントローラは、前記ワイヤレスユーザーインターフェースにおいて受け取った１つ以上のユーザー命令に基づき、前記電気モータが前記照明アセンブリを、前記円筒状部材の表面に沿って弧の周りで移動させるように動作させる、請求項１４に記載のＬＥＤベースの照明器具。
【請求項１６】
前記ワイヤレスインターフェースは、ZigBee（登録商標）、ＮＦＣ及びWiFi（登録商標）の少なくとも１つを実装する、請求項１５に記載のＬＥＤベースの照明器具。
【請求項１７】
蛍光照明器具に対する代替用ライト管であって、
長尺状の管状ハウジングと、
長尺状の前記管状ハウジングの両端に取り付けられた第１及び第２のエンドキャップであって、前記管状ハウジングは、第１及び第２のエンドキャップが前記蛍光照明器具の対応するソケット内に取り付けられ得るような大きさにされている、第１及び第２のエンドキャップと、
前記第１及び第２のエンドキャップの少なくとも１つに固定されており、且つ前記管状ハウジング内に収容された円筒状部材と、
前記円筒状部材の表面によって画定される弧に沿って異なる箇所に配置されており、前記管状ハウジングの長手方向の軸線に平行に延在する第１及び第２の光源ストリップであって、前記第１及び第２の光源ストリップが円筒状部材の表面に対する第１及び第２の法線に沿って第１及び第２の光のローブを発する、第１及び第２の光源ストリップと、
受け取った命令に基づき前記第１及び第２の光源ストリップを個々に又は同時に選択的に作動させるコントローラとを含む、
代替用ライト管。
【請求項１８】
第２のＬＥＤベース光源ストリップは、第１のストリップに対して弧の周りで移動可能である、請求項１７に記載の代替用ライト管。
【請求項１９】
前記第１の光源ストリップと前記第２の光源ストリップとの間の中心角は少なくとも４５度である、請求項１７に記載の代替用ライト管。
【請求項２０】
前記円筒状部材の表面によって画定される弧に沿って別の箇所に配置されており、且つ前記管状ハウジングの長手方向の軸線に平行に延在する第３のＬＥＤベース光源ストリップを更に含み、前記コントローラは、更に、前記第３の光源ストリップが前記円筒状部材の表面に対する第３の法線に沿って第３の光のローブを発するように、前記受け取った命令に基づき前記第３の光源ストリップを個々に又は前記第１及び第２のストリップの１つ若しくは両方と同時に選択的に作動させる、請求項１７に記載の代替用ライト管。
【発明の詳細な説明】
【技術分野】
【０００１】
[0001]  本発明は、概して、制御可能な照明器具に関する。より具体的には、本明細書中に開示される種々の発明的な方法及び装置は、管状ハウジング内において移動可能な１つ以上の光源ストリップを備える照明器具に関する。
【背景技術】
【０００２】
[0002]  蛍光照明は種々の環境を照明するために至る所で使用されている。例えば、店舗では、棚の商品を照明するために通路内に設置された蛍光照明を有する場合がある。場合によっては、発せられた光のビームを棚又はその一部へと導き、例えば、特定の商品に客の関心を引き付けるために、特別仕様の照明器具が作製され得る。しかしながら、これらの棚が移動した場合、又は異なる大きさの棚と交換された場合、又は棚の異なる部分が照明されることが望まれる場合、これらの特別仕様の照明器具は使用されなくなる場合がある。様々な光のノード（nodes of light）が種々の方向に発せられることを可能にするために、従来の蛍光照明に光学素子が取り付けられ得るものの、こうした光学素子は高価であり、及び／又は実装若しくは使用が煩雑な場合がある。
【０００３】
[0003]  デジタル照明技術、即ち、発光ダイオード（ＬＥＤ：light-emitting diode）などの半導体光源を基にした照明は、従来の蛍光灯、ＨＩＤランプ及び白熱灯の実施可能な代替となる。ＬＥＤの機能的な利点及び利益としては、高いエネルギー変換及び光学効率、耐久性、運転費の低下、並びにその他多くが挙げられる。最近のＬＥＤ技術の発展により、多くの用途における種々の照明効果を可能にする効率的且つ頑強なフルスペクトル光源がもたらされている。これら光源を組み入れた器具の幾つかは、様々な色、例えば、赤、緑及び青を生成することができる１つ以上のＬＥＤと、例えば、参照により本明細書中に組み込まれる米国特許第６，０１６，０３８号及び米国特許第６，２１１，６２６号に詳述されるような、ＬＥＤの出力を独立して制御し種々の色及び色を変化させる照明効果を発生させるためのプロセッサとを含む照明モジュールを特徴とする。
【０００４】
[0004]  従って、当技術分野では、種々の用途において従来の蛍光照明器具の代わりに用いるのに適したＬＥＤベースの照明器具などの長尺状の照明器具によって発せられる光のノードの変更を容易にすることに対する需要がある。
【発明の概要】
【課題を解決するための手段】
【０００５】
[0005]  本開示は、制御可能な照明器具のための発明的な方法及び装置に関する。例えば、照明器具は、１つ以上の光源ストリップを備える管状ハウジングを含むことができ、１つ以上の光源ストリップは管状ハウジング内に可動的に実装され、光のローブが放たれ得る複数の方向の選択を容易にする。
【０００６】
[0006]  概して、一態様において、ＬＥＤベースの照明器具は、管状ハウジングと、管状ハウジング内に、管状ハウジングの長手方向の軸線に平行に延びる円筒状部材と、ＬＥＤベース光源ストリップを含む照明アセンブリとを含み得る。ＬＥＤベース光源ストリップが長手方向の軸線に平行に延在し、且つ円筒状部材の表面に対する法線に沿って光のローブを発するように、照明アセンブリは管状ハウジング内に可動的に実装され得る。照明アセンブリは円筒状部材の表面の弧の少なくとも一部の周りで移動可能であってもよい。
【０００７】
[0007]  種々の実施形態においては、照明アセンブリは第１の照明アセンブリであってもよく、ＬＥＤベース光源ストリップは第１のＬＥＤベース光源ストリップであってもよく、光のローブは第１の光のローブであってもよい。ＬＥＤベースの照明器具は、第２のＬＥＤベース光源ストリップを含む第２の照明アセンブリを更に含み得る。第２のＬＥＤベース光源ストリップが第１のＬＥＤベース光源ストリップに平行に延在し、且つ円筒状部材の表面に対する別の法線に沿って第２の光のローブを発するように、第２の照明アセンブリは管状ハウジング内に実装され得る。種々の態様においては、第１の照明アセンブリは第２の照明アセンブリに対して弧の周りで移動可能である。種々の態様においては、第２の照明アセンブリは円筒状部材の表面上の弧に沿う箇所に実装される。
【０００８】
[0008]  種々の態様においては、第２の照明アセンブリが表面の弧の第２部分の周りで移動可能であるように、第２の照明アセンブリは円筒状部材の表面上に可動的に実装されている。種々の態様においては、弧の第１部分と第２部分とは少なくとも部分的に重なる。種々の他の態様においては、弧の第１部分と第２部分とは重ならない。
【０００９】
[0009]  種々の実施形態においては、第１の照明アセンブリと第２の照明アセンブリとの間の中心角は少なくとも９０度である。種々の態様においては、中心角は少なくとも１２０度である。種々の実施形態においては、中心角は少なくとも１８０度である。
【００１０】
[0010]  種々の実施形態においては、照明アセンブリは、円筒状部材の表面上に可動的に実装されたプリント回路基板を更に含むことができ、このプリント回路基板上にＬＥＤベース光源ストリップが実装されている。種々の実施形態においては、照明アセンブリはＬＥＤベース光源の近傍に配置された複数の光学素子を更に含み得る。種々の態様においては、複数の光学素子は少なくとも１つのコリメータを含む。
【００１１】
[0011]  種々の実施形態においては、電気モータが照明アセンブリを、円筒状部材の表面に沿って弧の周りで移動させ得る。種々の態様においては、照明アセンブリは、コントローラ及びワイヤレスインターフェースを更に含み得る。コントローラは、ワイヤレスユーザーインターフェースにおいて受け取った１つ以上のユーザー命令に基づき、電気モータが照明アセンブリを、円筒状部材の表面に沿って弧の周りで移動させるように動作するよう構成され得る。種々の態様においては、ワイヤレスインターフェースは、ZigBee（登録商標）、ＮＦＣ及びWiFi（登録商標）の少なくとも１つを実装する。
【００１２】
[0012]  別の態様においては、従来の蛍光光源との使用のために構成された照明器具用の代替用ライト管は、長尺状の管状ハウジングと、長尺状の管状ハウジングの両端に取り付けられた第１及び第２のエンドキャップであって、管状ハウジングが、第１及び第２のエンドキャップがライト器具の対応するソケット内に取り付けられ得るような大きさにされている、第１及び第２のエンドキャップと、第１及び第２のエンドキャップの少なくとも１つに固定されており、且つ管状ハウジング内に収容された円筒状部材と、円筒状部材の表面によって画定される弧に沿う異なる箇所に配置されており、且つ管状ハウジングの長手方向の軸線に平行に延在する第１及び第２の光源ストリップであって、第１及び第２の光源ストリップが円筒状部材の表面に対する第１及び第２の法線に沿って第１及び第２の光のローブを発する、第１及び第２の光源ストリップと、受け取った命令に基づき第１及び第２の光源ストリップを個々に又は同時に選択的に作動させるように構成されたコントローラとを含み得る。
【００１３】
[0013]  種々の実施形態においては、第２のＬＥＤベース光源ストリップは、第１のストリップに対して弧の周りで移動可能であってもよい。種々の実施形態においては、第１の光源ストリップと第２の光源ストリップとの間の中心角は少なくとも４５度である。種々の実施形態においては、代替用ライト管は、円筒状部材の表面によって画定される弧に沿う別の箇所に配置されており、且つ管状ハウジングの長手方向の軸線に平行に延在する第３のＬＥＤベース光源ストリップを更に含み得る。コントローラは、更に、第３の光源ストリップが円筒状部材の表面に対する第３の法線に沿って第３の光のローブを発するように、受け取った命令に基づき第３の光源ストリップを個々に又は第１及び第２のストリップの１つ若しくは両方と同時に選択的に作動させるように構成され得る。
【００１４】
[0014]  本開示の目的で本明細書において使用される場合、「ＬＥＤ」との用語は、任意のエレクトロルミネセンスダイオード、又は、電気信号に呼応して放射を発生できる、その他のタイプのキャリア注入／接合ベースシステム（carrier injection/junction-based system）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（通常、約４００ナノメートルから約７００ナノメートルまでの放射波長を含む）可視スペクトルの様々な部分のうちの１つ又は複数における放射を発生させることができるすべてのタイプの発光ダイオード（半導体及び有機発光ダイオードを含む）を指す。ＬＥＤの幾つかの例としては、次に限定されないが、様々なタイプの赤外線ＬＥＤ、紫外線ＬＥＤ、赤色ＬＥＤ、青色ＬＥＤ、緑色ＬＥＤ、黄色ＬＥＤ、アンバー色ＬＥＤ、橙色ＬＥＤ、及び白色ＬＥＤ（以下に詳しく述べる）がある。また、ＬＥＤは、所与のスペクトルに対して様々な帯域幅（例えば半波高全幅値（ＦＷＨＭ：full widths at half maximum））、及び所与の一般的な色分類内で様々な支配的波長を有する放射（例えば狭帯域幅、広帯域幅）を発生させるように構成及び／又は制御することができることを理解すべきである。
【００１５】
[0015]  例えば本質的に白色光を生成するＬＥＤ（例えば白色ＬＥＤ）の一実施態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（pumps）」して、当該蛍光体材料は、いくぶん広いスペクトルを有する長波長放射を放射する。
【００１６】
[0016]  なお、ＬＥＤとの用語は、ＬＥＤの物理的及び／又は電気的なパッケージタイプを限定しないことを理解すべきである。例えば、上述した通り、ＬＥＤは、（例えば個々に制御可能であるか又は制御不能である）異なるスペクトルの放射をそれぞれ放射する複数のダイを有する単一の発光デバイスを指すこともある。また、ＬＥＤは、ＬＥＤ（例えばあるタイプの白色ＬＥＤ）の一体部分と見なされる蛍光体に関連付けられることもある。
【００１７】
[0017]  「光源」との用語は、限定されないが、ＬＥＤベース光源（上記に定義した１つ以上のＬＥＤを含む）を含む、様々な放射源のうちの任意の１つ以上を指すと理解すべきである。
【００１８】
[0018]  所与の光源は、可視スペクトル内、可視スペクトル外、又は両者の組合せでの電磁放射を発生する。したがって、「光」及び「放射」との用語は、本明細書では同義で使用される。さらに、光源は、一体構成要素として、１つ以上のフィルタ（例えばカラーフィルタ）、レンズ、又はその他の光学的構成要素を含んでもよい。また、光源は、次に限定されないが、指示、表示、及び／又は照明を含む様々な用途に対し構成されることを理解すべきである。「照明源」とは、内部空間又は外部空間を効果的に照射するのに十分な強度を有する放射を発生するように特に構成された光源である。このコンテキストにおいて、「十分な強度」とは、周囲照明（すなわち、間接的に知覚され、また、例えば、全体的に又は部分的に知覚される前に１つ以上の様々な介在面から反射される光）を提供するために空間又は環境において発生される可視スペクトルにおける十分な放射強度（放射強度又は「光束」に関して、全方向における光源からの全光出力を表すために、単位「ルーメン」がよく使用される）を指す。
【００１９】
[0019]  「スペクトル」との用語は、１つ以上の光源によって生成された放射の任意の１つ以上の周波数（又は波長）を指すものと理解すべきである。したがって、「スペクトル」との用語は、可視範囲内の周波数（又は波長）のみならず、赤外線、紫外線、及び電磁スペクトル全体の他の領域の周波数（又は波長）も指す。さらに、所与のスペクトルは、比較的狭い帯域幅（例えば、ＦＷＨＭは、基本的に、周波数又は波長成分をほとんど有さない）、又は、比較的広い帯域幅（様々な相対強度を有する幾つかの周波数又は波長成分）を有してよい。当然のことながら、所与のスペクトルは、２つ以上の他のスペクトルを混合（例えば、複数の光源からそれぞれ放射された放射を混合）した結果であってよい。
【００２０】
[0020]  本開示の目的で、「色」との用語は、「スペクトル」との用語と同義に使用される。しかし、「色」との用語は、通常、観察者によって知覚可能である放射の特性を主に指すために使用される（ただし、この使用は、当該用語の範囲を限定することを意図していない）。したがって、「様々な色」との用語は、様々な波長成分及び／又は帯域幅を有する複数のスペクトルを暗に指す。さらに、当然のことながら、「色」との用語は、白色光及び非白色光の両方との関連で使用されてもよい。
【００２１】
[0021]  「色温度」との用語は、本明細書では、通常、白色光に関連して使用されるが、その使用は、当該用語の範囲を限定することを意図していない。色温度は、基本的に、白色光の特定の色内容又は陰（例えば、赤みを帯びた、青みを帯びた）を指す。所与の放射サンプルの色温度は、従来から、問題とされている放射サンプルと同じスペクトルを基本的に放射する黒体放射体のケルビン度数（Ｋ）の温度に応じて特徴付けられている。黒体放射体の色温度は、通常、約７００度Ｋ（通常、人間の目に最初に可視となると考えられている）から１０，０００度Ｋ超の範囲内であり、白色光は、通常、約１５００〜２０００度Ｋより高い色温度において知覚される。
【００２２】
[0022]  「照明ユニット」又は「照明アセンブリ」との用語は、本明細書では、同じ又は異なるタイプの１つ以上の光源を含む装置を指して使用される。所与の照明アセンブリは、様々な光源の取付け配置、筐体／ハウジング配置及び形状、並びに／又は、電気及び機械的接続構成の何れか１つを有してもよい。さらに、所与の照明アセンブリは、光源の動作に関連する様々な他の構成要素（例えば制御回路）に任意選択的に関連付けられてもよい（例えば含む、結合される、及び／又は一緒にパッケージされる）。「ＬＥＤベースの照明アセンブリ」とは、上記した１つ以上のＬＥＤベースの光源を、単独で又はその他の非ＬＥＤベースの光源との組合せで含む照明アセンブリを指す。「マルチチャネル」照明アセンブリとは、それぞれ異なる放射スペクトルを発生する少なくとも２つの光源を含むＬＥＤベースの又は非ＬＥＤベースの照明アセンブリを指すものであり、各異なる光源スペクトルは、マルチチャネル照明器具の「チャネル」と呼ばれる。
【００２３】
[0023]  「光源ストリップ」との用語は、本明細書では、実質的にライン方向に配置された、限定されるわけではないがＬＥＤを含む様々なタイプの２つ以上の光源を備えた照明アセンブリを含む。様々な実施形態において、ＬＥＤベースの光源ストリップは、回路基板（ＰＣＢ）に取り付けられる。幾つかの実施形態では、各光源は、個別に制御可能である。他の実施形態では、光源ストリップは集合的に制御される。光源ストリップは、例えば光源ストリップが配向される方向に依存して、集合的に特定の方向に光を放射する。斯様な光は、光源の特性、光源と関連するコリメータのような光学素子の特性等に依存して、特定の角度にわたって投光される。例えば、特定の方向に特定の角度にわたって光源ストリップにより投光される光は、「ローブ」と呼ばれる。ＬＥＤが用いられる実施形態において、光源ストリップは、限定されるわけではないがヒュー、彩度、輝度、強度等を含む照明の様々な選択される特性の光を放射可能である。
【００２４】
[0024]  「照明固定具」、「照明器具」との用語は、本明細書では、特定の形状因子、アセンブリ又はパッケージの１つ以上の照明アセンブリの実施態様又は配置を指すために使用される。
【００２５】
[0025]  「コントローラ」との用語は、本明細書では、一般に、１つ以上の光源の動作に関連する様々な装置を説明するために使用される。コントローラは、本明細書で説明した様々な機能を実行するように、数多くの方法（例えば専用ハードウエアを用いて）で実施できる。「プロセッサ」は、本明細書で説明した様々な機能を実行するように、ソフトウエア（例えばマイクロコード）を使用してプログラムすることのできる１つ以上のマイクロプロセッサを使用するコントローラの一例である。コントローラは、プロセッサを使用してもしなくても実施でき、また、幾つかの機能を実行する専用ハードウエアと、その他の機能を実行するプロセッサ（例えばプログラムされた１つ以上のマイクロプロセッサ及び関連回路）の組み合わせとして実施されてもよい。本開示の様々な実施態様において使用されてもよいコントローラ構成要素の例としては、次に限定されないが、従来のマイクロプロセッサ、特定用途向けＩＣ（ＡＳＩＣ）、及びフィールドプログラマブルゲートアレイ（ＦＰＧＡ）がある。
【００２６】
[0026]  様々な実施態様において、プロセッサ又はコントローラは、１つ以上の記憶媒体（本明細書では総称的に「メモリ」と呼び、例えばＲＡＭ、ＰＲＯＭ、ＥＰＲＯＭ及びＥＥＰＲＯＭ、フロッピー（登録商標）ディスク、コンパクトディスク、光学ディスク、磁気テープ等の揮発性及び不揮発性のコンピュータメモリ）と関連付けられる。幾つかの実施態様において、記憶媒体は、１つ以上のプロセッサ及び／又はコントローラ上で実行されると、本明細書で説明した機能の少なくとも幾つかを実行する１つ以上のプログラムによって、コード化されてもよい。様々な記憶媒体は、プロセッサ又はコントローラ内に固定されてもよいし、又は、その上に記憶された１つ以上のプログラムが、本明細書で説明した本発明の様々な態様を実施するように、プロセッサ又はコントローラにロードされるように可搬型であってもよい。「プログラム」又は「コンピュータプログラム」との用語は、本明細書では、一般的な意味で、１つ以上のプロセッサ又はコントローラをプログラムするように使用できる任意のタイプのコンピュータコード（例えばソフトウエア又はマイクロコード）を指して使用される。
【００２７】
[0027]  「ネットワーク」との用語は、本明細書において使用される場合、（コントローラ又はプロセッサを含む）任意の２つ以上のデバイス間及び／又はネットワークに結合された複数のデバイス間での（例えばデバイス制御、データ記憶、データ交換等のための）情報の転送を容易にする２つ以上のデバイスの任意の相互接続を指す。容易に理解されるように、複数のデバイスを相互接続するのに適したネットワークの様々な実施態様は、様々なネットワークトポロジのうちの何れかを含み、様々な通信プロトコルのうちの何れかを使用することができる。さらに、本開示による様々なネットワークにおいて、２つのデバイス間の接続はいずれも、２つのシステム間の専用接続を表わすか、又は、これに代えて非専用接続を表わしてもよい。２つのデバイス用の情報を担持することに加えて、当該非専用接続（例えばオープンネットワーク接続）は、必ずしも２つのデバイス用ではない情報を担持することがある。さらに、容易に理解されるように、本明細書で説明されたデバイスの様々なネットワークは、ネットワーク全体に亘る情報の転送を容易にするために、１つ以上のワイヤレス、ワイヤ／ケーブル、及び／又は光ファイバリンクのリンクを使用できる。
【００２８】
[0028]  「ユーザインターフェース」との用語は、本明細書において使用される場合、人間であるユーザ又はオペレータと、当該ユーザとデバイス間の通信を可能にする１つ以上のデバイスとの間のインターフェースを指す。本開示の様々な実施態様に使用されてもよいユーザインターフェースの例は、次に限定されないが、スイッチ、電位差計、ボタン、ダイアル、スライダ、マウス、キーボード、キーパッド、様々なタイプのゲームコントローラ（例えばジョイスティック）、トラックボール、ディスプレイスクリーン、様々なタイプのグラフィカルユーザインターフェース（ＧＵＩ）、タッチスクリーン、マイクロホン、及び、人間が生成した何らかの形の刺激を受信し、それに応答して信号を生成する他のタイプのセンサを含む。
【００２９】
[0029]  なお、前述の概念及び以下でより詳しく説明する追加の概念のあらゆる組み合わせ（これらの概念が互いに矛盾しないものであることを条件とする）は、本明細書で開示される本発明の主題の一部をなすものと考えられることを理解すべきである。特に、本開示の終わりに登場するクレームされる主題のあらゆる組み合わせは、本明細書に開示される本発明の主題の一部であると考えられる。なお、参照により組み込まれる任意の開示内容にも登場する、本明細書にて明示的に使用される用語には、本明細書に開示される特定の概念と最も整合性のある意味が与えられるべきであることを理解すべきである。
【図面の簡単な説明】
【００３０】
[0030]  図面中、同様の参照符号は、全般的に様々な図を通して同じ部分を指している。さらに、図面は必ずしも縮尺通りではなく、重点は全体的に本発明の原理の説明に置かれている。
【００３１】
【図１】[0031]  種々の実施形態による例示的な照明器具を示す。
【図２】[0032]  種々の実施形態による、照明器具が発する光のローブが様々な領域を照明し得るように、開示される照明器具がどのように調整され得るかの一例を示す。
【図３】種々の実施形態による、照明器具が発する光のローブが様々な領域を照明し得るように、開示される照明器具がどのように調整され得るかの一例を示す。
【図４】[0033]  種々の実施形態による、別の例示的な照明器具を示す。
【図５】[0034]  種々の実施形態による、更に別の例示的な照明器具を示す。
【図６】[0035]  種々の実施形態による、更に別の例示的な照明器具を示す。
【発明を実施するための形態】
【００３２】
[0036]  蛍光照明管は、種々の環境を照明するために至る所で使用されている。特別仕様の照明器具は、照明管によって発せられた光のローブを棚又はその一部へと導くように作製され得る。しかしながら、これらの棚が移動した場合、又は異なる大きさの棚と交換された場合、又は棚の異なる部分が照明されることが望まれる場合、これらの特別仕様の照明器具は使用されなくなる場合がある。管状照明器具によって発せられた光のローブの大きさを変える及び／又は方向を変えるための光学素子は高価であり、及び／又は据付け若しくは使用が煩雑な場合がある。このため、本出願人は、管状照明器具が発する光のローブが大きさを変えられ得、及び／又は複数の方向に方向を変えられ得るように調整可能な管状照明器具を提供することが有益であると理解し且つ認識した。
【００３３】
[0037]  上記に鑑み、本発明の種々の実施形態及び実装形態は、管状ハウジングと、光のローブを様々な方向に放つように調整可能な１つ以上の光源ストリップとを備える照明器具に関する。図１を参照すると、照明器具１０２に取り付けられた、本開示の選択された態様を備えて構成された照明器具１００が示される。幾つかの実施形態では、照明器具１０２は、従来の蛍光照明器具であってもよい。照明器具１００は、管状ハウジング１０４と、管状ハウジング１０４内に取り付けられた円筒状部材１０６とを含み得る。図１に図示されないが、照明器具１００は、各端部にエンドキャップ（図４を参照のこと）を含み得る。管状ハウジング１０４及びエンドキャップは、照明器具１００が蛍光照明器具１０２内に、例えば、従来の蛍光管の代替として取り付けられ得るような大きさにされ得る。
【００３４】
[0038]  円筒状部材１０６は、表面１０８を含み得る。種々の実施形態においては、図１の場合のように、表面１０８は断面が略円形（しかし必ずしも完全に円形である必要はない）であってもよいものの、これは必須ではない。１つ以上のライトアセンブリが表面１０８上又は表面１０８の近傍に実装され得る。例えば、図１では、第１及び第２のライトアセンブリ１１０ａ及び１１０ｂが表面１０８上に実装されている。種々の実施形態においては、各照明アセンブリ（総称的に１１０と呼ばれる）は、プリント回路基板１１４などの基板上に実装された光源ストリップ１１２を含み得る。光源ストリップ１１２ａ及び１１２ｂは各光のローブ１１６ａ及び１１６ｂを、表面１０８に対する法線に沿って、例えば、線Ｎａ及びＮｂに沿って発し得る。種々の実施形態においては、光源ストリップ１１２ａ及び１１２ｂは、管状ハウジング１０４の長手方向の軸線（図１のページの内方へと延びる）に平行に延在し得る。
【００３５】
[0039]  種々の実施形態においては、ライトアセンブリ１１０の１つ以上は表面１０８上に可動的に実装され得る。例えば、図１では、第２の照明アセンブリ１１０ｂが、図１に想像線で示されるように、表面１０８によって画定される弧１１８の少なくとも一部の周りで第１の照明アセンブリ１１０ａに対して種々の位置に移動され得るように、第２の照明アセンブリ１１０ｂは表面１０８上に可動的に実装されている。このようにして、第２のライトストリップ１１２ｂによって発せられた光のノード１１６ｂは必要に応じて複数の方向に向けられ得る。種々の実施形態においては、光のローブ１１６ａ及び１１６ｂの寸法を制御するためのレンズ若しくはコリメータなどの光学素子が光源にて又は光源近傍にて用いられ得る。
【００３６】
[0040]  図１には図示されないが、幾つかの実施形態では、第１の照明アセンブリ１１０ａは、また、例えば、表面１０８によって画定される別の弧の周りで移動可能であってもよい。幾つかの実施形態では、第１の照明アセンブリ１１０ａが移動され得る弧は、弧１１８と重なっても重ならなくてもよい。弧が重なる幾つかの実施形態では、プリント回路基板１１４ａ及び１１４ｂは、他方の一部の通過を可能にするのに適したスペースを含み得る。他のこうした実施形態においては、第１の照明アセンブリ１１０ａ及び第２の照明アセンブリ１１０ｂの１つは、他方の上又は下を通過し得る。
【００３７】
[0041]  第１の照明アセンブリ１１０ａと第２の照明アセンブリ１１０ｂとの間の中心角（この角度は、第１の照明アセンブリ１１０ａと第２の照明アセンブリ１１０ｂとの間の表面１０８に沿う弧（図示せず）によって範囲を定められる角度であってもよい）は、第１の照明アセンブリ１１０ａ又は第２の照明アセンブリ１１０ｂの位置によって変化し得る。種々の実施形態においては、第２の照明アセンブリ１１０ａは、弧１１８の少なくとも一部に沿って十分な運動の自由度を有することができ、第１の照明アセンブリ１１０ａと第２の照明アセンブリ１１０ｂとの間の中心角は少なくとも１２０度及び／又は少なくとも１８０度であってもよい。
【００３８】
[0042]  幾つかの実施形態では、コントローラ１５０が通信インターフェース１５２（図１に「通信インターフェース」と示される）及び／又は電気モータ１５４と動作可能に結合され得る。電気モータ１５４は、第２の照明アセンブリ１１０ｂ（及び、第１の照明アセンブリ１１０ａが移動可能である場合は第１の照明アセンブリ１１０ａ）を弧１１８の周りで種々の方向に移動させるように構成され得る。例えば、電気モータ１５４は、円筒状部材１０６内の１つ以上の箇所において、例えば、ドライブトレイン（図示せず）を介して第２の照明アセンブリ１１０ｂと動作可能に結合され得る。幾つかの実施形態では、１つ以上のスロット（図４を参照のこと）が表面１０８に、弧１１８に沿って形成され得る。こうしたスロットを通じて、内部ドライブトレインの１つ以上の構成要素がプリント回路基板１１４ｂの下面に結合され得、これにより、ドライブトレインが第２の照明アセンブリ１１０ｂを弧１１８に沿って移動させることを可能にし得る。
【００３９】
[0043]  種々の実施形態においては、コントローラ１５０は、例えば、通信インターフェース１５２において受け取ったユーザー命令に基づき電気モータ１５４を動作するように構成され得る。種々の実施形態においては、通信インターフェース１５２は、種々のワイヤレス技術を用いて、タブレット型コンピュータ、スマートフォン、ラップトップ、セットトップボックス、デスクトップ型コンピュータ等のリモートコンピューティングデバイスからデータを受け取るように構成され得る。これらの技術には、ZigBee（登録商標）、近距離無線通信（「ＮＦＣ：near field communication」）及びWiFi（登録商標）を含み得るが、これらに限定されない。他の実施形態においては、第２の照明アセンブリ１１０ｂ及び／又は第１の照明アセンブリ１１０ａは弧１１８の周りで、例えば、ユーザーが１つ以上のつまみ、レバー若しくは他の物理的構成要素を作動させることによって手動で移動可能であってもよい。
【００４０】
[0044]  図２及び図３は、本開示の選択された態様を備えて構成された照明器具が用いられ得る１つの非限定的な例を示す。環境２２０は、通路２２２と、２つの棚２２４ａ及び２２４ｂとを含む。本開示の選択された態様が備えられた照明器具２００が蛍光照明器具２０２に取り付けられている。図２では、第１の光のローブ２１６ａが第１の棚２２４ａに導かれ、第２の光のローブ２１６ｂが第２の棚２２４ｂに導かれる。図３では、第２の棚２２４ｂが第３の棚２２４ｃと交換されている。第３の棚２２４ｃは第２の棚２２４ｂよりも低く、第２の棚２２４ｂに比べ環境２２０の中央のより近傍に配置されている。従って、ここでは第２の光のローブ２１６ｂが異なる角度で、即ち、第３の棚２２４ｃに導かれるように、照明器具２００内の少なくとも１つのライトストリップ（図２及び図３に示されない）が調整されている。
【００４１】
[0045]  付加的に又は代替的に、１つ以上のライトアセンブリは、第１の光のローブ２１６ａ及び／又は第２の光のローブ２１６ｂが他の特性を有する及び／又は棚を他の手法で照明するように調整可能であってもよい。例えば、両ローブは１つの棚の様々な部分に向けられ得る。幾つかの実施形態では、例えば、各棚が異なる色に照明されるように、それぞれが異なる色を発する複数のライトアセンブリが表面に沿って向けられ得る。このため、例えば、各色が照明アセンブリの光源ストリップによって発せられた光のローブに相当する虹が表面上に作成され得る。
【００４２】
[0046]  図４は、図１の照明器具１００に類似する照明器具４００の斜視図である。エンドキャップ４３２ａ及び４３２ｂを、長尺状の管状ハウジング４０４の両側に、その長手方向の軸線４３３に沿って見ることができる。照明器具４００を、例えば、蛍光照明器具１０２又は２０２の対応する電気部品に接続するための電気部品４３４をエンドキャップ４３２ａ上に見ることができる（電気部品４３４はエンドキャップ４３２ｂ上にあってもなくてもよい）。表面４０８に、弧４１８に沿って１つ以上のスロット４３６ａ〜ｃ（４つ以上とすることも３つ未満とすることもできる）が形成され得る。これにより、内部ドライブトレイン（図示せず）の一部が照明アセンブリ４１０をこれらのスロットに沿って移動させること可能にし得る。照明アセンブリ４１０をこのようにして移動させることで、照明アセンブリ４１０によって発せられた光のローブが複数の方向に向けられることを可能にし得る。図４は、弧の周りで１つ以上のライトアセンブリの動きを可能にするために照明器具がどのように構成され得るかの単なる一例である。本開示から逸脱することなく他の構成が用いられ得ることは理解すべきである。
【００４３】
[0047]  図５は、照明器具５００の別の実施形態を示す。複数のライトアセンブリ５１０ａ〜ｆが円筒状部材５０６の表面５０８上、円筒状部材５０６の周縁の種々の位置に実装され得る。コントローラ５５０が、通信インターフェース５５２（図５に「通信インターフェース」と示される）と動作可能に結合され得る。コントローラ５５０は、複数のライトアセンブリ５１０ａ〜ｆのうちの１つ以上と組み合わされた１つ以上の光源ストリップ５１２ａ〜ｆを選択的に作動させることにより、例えば、光のローブを異なる方向に放つように構成され得る。場合によっては、コントローラ５５０は、ストリップを個々に及び／又は他のストリップとは独立して作動させることができる。幾つかの実施形態では、コントローラ５５０は２つ以上のストリップを同時に作動させることができる。種々の実施形態においては、コントローラ５５０は、光源ストリップ５１２ａ〜ｆの１つ以上を、例えば、通信インターフェース５５２において受け取ったユーザー命令に基づき選択的に照明し得る。種々の実施形態においては、及び図１の実施形態と同様に、通信インターフェース５５２は、種々のワイヤレス技術を用いて、タブレット型コンピュータ、スマートフォン、ラップトップ、セットトップボックス、デスクトップ型コンピュータ等のリモートコンピューティングデバイスからデータを受け取るように構成され得る。これらの技術には、ZigBee（登録商標）、ＮＦＣ及びWiFi（登録商標）を含み得る、これらに限定されない。
【００４４】
[0048]  図６は、照明器具６００の別の実施形態を示す。ライトアセンブリが周りを移動され得る円筒状部材の代わりに、ライトアセンブリ６１０ａ及び６１０ｂは、それぞれ、ヒンジ６６０により互いに連結されたプリント回路基板６１４ａ及び６１４ｂを含み得る。これにより、プリント回路基板６１４ａ及び６１４ｂが、それぞれ、弧６１８ａ及び６１８ｂに沿って移動され、光のローブ６１６ａ及び６１６ｂを種々の方向に変えることを可能にし得る。図１と同様に、照明器具６００は、通信インターフェース６５２と、電気モータ６５４とに動作可能に結合されたコントローラ６５０を含み得る。通信インターフェース６５２において受け取ったユーザーのコマンドに応答して、コントローラ６５０は、電気モータ６５４によりプリント回路基板６１４ａ及び６１４ｂの１つ又は両方を種々の方向に回転させて、所望の照明効果（例えば、棚の照明）を実施し得る。他の実施形態においては、プリント回路基板６１４ａ及び６１４ｂの１つ又は両方は、例えば、ユーザーが１つ以上のつまみ、レバー若しくは他の物理的構成要素を作動させることによって、それぞれ弧６１８ａ及び６１８ｂの周りで手動で移動可能であってもよい。
【００４５】
[0049]  幾つかの発明実施形態を本明細書に説明し例示したが、当業者であれば、本明細書にて説明した機能を実行するための、並びに／又は、本明細書にて説明した結果及び／若しくは１つ以上の利点を得るための様々な他の手段及び／若しくは構造体を容易に想到できよう。また、このような変更及び／又は改良の各々は、本明細書に説明される発明実施形態の範囲内であるとみなす。より一般的には、当業者であれば、本明細書にて説明されるすべてのパラメータ、寸法、材料、及び構成は例示のためであり、実際のパラメータ、寸法、材料、及び／又は構成は、発明教示内容が用いられる１つ以上の特定用途に依存することを容易に理解できよう。当業者であれば、本明細書にて説明した特定の発明実施形態の多くの等価物を、単に所定の実験を用いて認識又は確認できよう。したがって、上記実施形態は、ほんの一例として提示されたものであり、添付の請求項及びその等価物の範囲内であり、発明実施形態は、具体的に説明された又はクレームされた以外に実施可能であることを理解されるべきである。本開示の発明実施形態は、本明細書にて説明される個々の特徴、システム、品物、材料、キット、及び／又は方法に関する。さらに、２つ以上のこのような特徴、システム、品物、材料、キット、及び／又は方法の任意の組み合わせも、当該特徴、システム、品物、材料、キット、及び／又は方法が相互に矛盾していなければ、本開示の本発明の範囲内に含まれる。
【００４６】
[0050]  本明細書にて定義されかつ用いられた定義はすべて、辞書の定義、参照することにより組み込まれた文献における定義、及び／又は、定義された用語の通常の意味に優先されて理解されるべきである。
【００４７】
[0051]  本明細書及び特許請求の範囲にて使用される「ａ」及び「ａｎ」の不定冠詞は、特に明記されない限り、「少なくとも１つ」を意味するものと理解されるべきである。
【００４８】
[0052]  本明細書及び特許請求の範囲に用いられるように、１つ以上の要素を含むリストを参照した際の「少なくとも１つ」との表現は、要素のリストにおける任意の１つ以上の要素から選択された少なくとも１つの要素を意味すると理解すべきであるが、要素のリストに具体的に列挙された各要素の少なくとも１つを必ずしも含むわけではなく、要素のリストにおける要素の任意の組み合わせを排除するものではない。この定義は、「少なくとも１つの」との表現が指す要素のリストの中で具体的に特定された要素以外の要素が、それが具体的に特定された要素に関係していても関連していなくても、任意選択的に存在してもよいことを可能にする。したがって、非限定的な例として、「Ａ及びＢの少なくとも１つ」（又は、同等に「Ａ又はＢの少なくとも１つ」、又は、同等に「Ａ及び／又はＢの少なくとも１つ」）は、一実施形態では、少なくとも１つのＡ（任意選択的に２つ以上のＡを含む）であって、Ｂがない（任意選択的にＢ以外の要素を含む）ことを指し、別の実施形態では、少なくとも１つのＢ（任意選択的に２つ以上のＢを含む）であって、Ａがない（任意選択的にＡ以外の要素を含む）ことを指し、さらに別の実施形態では、少なくとも１つのＡ（任意選択的に２つ以上のＡを含む）と、少なくとも１つのＢ（任意選択的に２つ以上のＢを含む）を指す（任意選択的に他の要素を含む）。
【００４９】
[0053]  さらに、特に明記されない限り、本明細書に記載された２つ以上のステップ又は動作を含むどの方法においても、当該方法のステップ又は動作の順番は、記載された方法のステップ又は動作の順序に必ずしも限定されないことを理解すべきである。
【００５０】
[0054]  請求項において、括弧内に登場する任意の参照符号は、便宜上、提供されているに過ぎず、当該請求項をいかようにも限定することを意図していない。
【００５１】
[0055]  特許請求の範囲においても上記明細書においても、「備える」、「含む」、「担持する」、「有する」、「含有する」、「関与する」、「保持する」、「〜から構成される」等といったあらゆる移行句は、非制限的、すなわち、含むがそれに限定されないことを意味すると理解すべきである。米国特許庁特許審査手続便覧の第２１１１．０３項に記載される通り、「〜からなる」及び「本質的に〜からなる」といった移行句のみが、制限又は半制限移行句である。
【図２】
2017505522.tif 000003
【図３】
2017505522.tif 000004
【図４】
2017505522.tif 000005
【図１】
2017505522.tif 000006
【図５】
2017505522.tif 000007
【図６】
2017505522.tif 000008
【国際調査報告】
2017505522.tif 000009
2017505522.tif 000010
2017505522.tif 000011